(57)【要約】【課題】記録再生回路、ソフトウエアを広く普及しているＤＶＤレコーダ、プレーヤと共通にでき、ＨＤＤレコーダ用の特殊な回路、ソフトウェアを使用する必要が無くなり大きなコストダウンが可能な映像記録再生装置及び映像記録方法を提供する。【解決手段】入力されたアナログ動画及び音声データをデジタルデータに変換するＡ／Ｄ変換手段１、２と、Ａ／Ｄ変換手段１、２によって変換されたデジタル動画データを圧縮する圧縮手段３、４と、圧縮されたデータをＤＶＤ規格に準拠したデータ形式に変換する圧縮データ変換手段５と、記録されたデータを読み出すためのナビゲーションデータをＤＶＤ規格に準拠した形式で作成するナビデータ変更手段６と、ＤＶＤ規格準拠のナビゲーションデータに含まれるアドレスデータをハードディスクの実アドレスに変換するアドレス変換手段８と、その動画データとナビゲーションデータを記録するハードディスク９とを備える。【選択図】        図１
2004336385.tif 000002
【特許請求の範囲】
【請求項１】
入力されたアナログ動画及び音声データをデジタルデータに変換するＡ／Ｄ変換手段と、該Ａ／Ｄ変換手段によって変換されたデジタル動画データを圧縮する圧縮手段と、前記圧縮されたデータをＤＶＤ規格に準拠したデータ形式に変換する圧縮データ変換手段と、記録されたデータを読み出すためのナビゲーションデータをＤＶＤ規格に準拠した形式で作成するナビゲーションデータ変更手段と、ＤＶＤ規格準拠のナビゲーションデータに含まれるアドレスデータをハードディスクの実アドレスに変換するアドレス変換手段と、その動画データとナビゲーションデータを記録するハードディスクとを備えることを特徴とする映像記録再生装置。
【請求項２】
上記ＤＶＤ準拠のナビゲーションデータに含まれるアドレスデータを、ハードディスクの実アドレスに変換する表を動画記録と並行して作成し、ハードディスクに記録する請求項１記載の映像記録再生装置。
【請求項３】
ＤＶＤビデオプレーヤ用の再生回路を使用してハードディスクに記録した動画を再生する事を可能にした請求項２記載の映像記録再生装置。
【請求項４】
アナログ動画及び音声入力をデジタルデータに変換するＡ／Ｄ変換ステップと、該Ａ／Ｄ変換ステップによって変換されたデジタル動画データを圧縮する圧縮ステップと、前記圧縮されたデータをＤＶＤ規格に準拠したデータ形式に変換する圧縮データ変換ステップと、そのデータを読み出すためのナビゲーションデータをＤＶＤ規格に準拠した形式で作成するナビゲーションデータ変更ステップと、ＤＶＤ規格準拠のナビゲーションデータに含まれるアドレスデータをハードディスクの実アドレスに変換するアドレス変換ステップと、その動画データとナビゲーションデータをハードディスクに記録するステップとを有することを特徴とする映像記録方法。
【発明の詳細な説明】
【０００１】
【発明の属する技術分野】
本発明は、映像記録再生装置及び映像記録方法であり、特にハードディスクを利用した家庭用の映像記録装置に関する。
【０００２】
【従来の技術】
従来、一般的なハードディスクレコーダでは、図５に示すように、ビデオ、オーディオのアナログ入力がＡ／Ｄ変換１´、２´され、ビデオは主にＭＰＥＧ、オーディオは、ＭＰＥＧやＤｏｌｂｙ  ＡＣ３方式で圧縮される。その後、音声とビデオが多重５´され、ハードディスク９´に記録される。ハードディスク９´に記録される動画データのアドレスなどから再生時にデータにアクセスするためのナビゲーション情報を作成し同時に記録する。再生時はこのナビゲーション情報に従ってデータが読み出され再生ができる。
【０００３】
【発明が解決しようとする課題】
従来のハードディスク記録では、ハードディスクに記録されたデータ自体は出力されず、実際に出力されるのは一般的には復調されたアナログ動画出力だけであり、ハードディスクに記録される動画データ、ナビゲーションデータに共通規格が無く、ハードディスクレコーダメーカがそれぞれ独自方式で記録している。
【０００４】
このため、ハードディスに記録するための、ナビゲーションデータ作成回路／ソフトウエア、音声、動画のエンコーダ、マルチプレクサなどが、メーカーごと、製品毎に個別に設計され、高価なものになっていた。
【０００５】
本発明は、従来の問題を解決するものであり、記録再生回路、ソフトウエアを広く普及しているＤＶＤレコーダ、プレーヤと共通にでき、ＨＤＤレコーダ用の特殊な回路、ソフトウェアを使用する必要が無くなり大きなコストダウンが可能な映像記録再生装置及び映像記録方法を提供することを目的とする。
【０００６】
【課題を解決するための手段】
本発明は、入力されたアナログ動画及び音声データをデジタルデータに変換するＡ／Ｄ変換手段と、該Ａ／Ｄ変換手段によって変換されたデジタル動画データを圧縮する圧縮手段と、前記圧縮されたデータをＤＶＤ規格に準拠したデータ形式に変換する圧縮データ変換手段と、記録されたデータを読み出すためのナビゲーションデータをＤＶＤ規格に準拠した形式で作成するナビデータ変更手段と、ＤＶＤ規格準拠のナビゲーションデータに含まれるアドレスデータをハードディスクの実アドレスに変換するアドレス変換手段と、その動画データとナビゲーションデータを記録するハードディスクとを備える映像記録再生装置である。
【０００７】
また、本発明は、上記ＤＶＤ準拠のナビゲーションデータに含まれるアドレスデータを、ハードディスクの実アドレスに変換する表を動画記録と並行して作成し、ハードディスクに記録する映像記録再生装置である。
【０００８】
そして、本発明は、ＤＶＤビデオプレーヤ用の再生回路を使用してハードディスクに記録した動画を再生する事を可能にした映像記録再生装置である。
【０００９】
更に、本発明は、アナログ動画及び音声入力をデジタルデータに変換するＡ／Ｄ変換ステップと、該Ａ／Ｄ変換ステップによって変換されたデジタル動画データを圧縮する圧縮ステップと、前記圧縮されたデータをＤＶＤ規格に準拠したデータ形式に変換する圧縮データ変換ステップと、そのデータを読み出すためのナビゲーションデータをＤＶＤ規格に準拠した形式で作成するナビゲーションデータ変更ステップと、ＤＶＤ規格準拠のナビゲーションデータに含まれるアドレスデータをハードディスクの実アドレスに変換するアドレス変換ステップと、その動画データとナビゲーションデータをハードディスクに記録するステップとを有する映像記録方法である。
【００１０】
ＨＤＤディスクへの記録する際の記録のフォーマットを、ＤＶＤＲＯＭビデオと共通のフォーマットにすれば、すでに全世界で数千万台の販売実績のあるＤＶＤプレーヤと共通の、制御、デコーダ回路が使用でき大きなコストダウンが期待できる。またＤＶＤレコーダでは、すでにＤＶＤＲＯＭビデオと共通フォーマットでＤＶＤ−Ｒに記録する機能が実現され広く普及し始めている。これに使用するエンコーダ回路もフォーマットを共通にすれば、共通に使用可能でありコストダウンが期待できる。
【００１１】
しかし、ＤＶＤＲＯＭビデオフォーマットは、ＲＯＭ（Ｒｅａｄ  ｏｎｌｙ  Ｍｅｍｏｒｙ）ディスクに特化したフォーマットであり、ＨＤＤレコーダで必須となる、リアルタイムレコーディングおよび記録終了後の編集機能の実現には不都合な点を多数持っている。
【００１２】
ハードディスク上に記録する際はＤＶＤ規格に準拠した動画音声データがまず記録され、記録終了時に再生に使用するナビゲーションデータを記録する。ところが、ＤＶＤ  ＲＯＭ  Ｖｉｄｅｏの規格では、まずナビゲーションデータを読み取ってから動画音声データを再生するため、その再生順に従った順序でＤＶＤディスク上に記録される。また、ＨＤＤでは何度も記録、消去を繰り返すため、１回の記録がＨＤＤ上では幾つかの部分に分かれて記録されることがある。しかし、ＤＶＤ規格では１個の番組は連続した１個の領域に記録される。このように、通常はＤＶＤ規格に準拠した形ではＨＤＤに記録できない。
【００１３】
そこで、ＨＤＤに記録する際、記録したデータの実際のＨＤＤ上のアドレスと、そのデータがＤＶＤに記録されたと仮定した場合のアドレスの対照表を同時に記録しておき、記録されるナビゲーションデータに含まれるアドレスを、その仮想的なＤＶＤアドレスにする。再生の際、ＤＶＤと共通の再生コントロール回路は、その仮想的なアドレスに従って再生の指示をするが、そのアドレスを対照表に従って実アドレスに変更することにより再生が可能となる。したがって、再生コントロール回路から見ると、ＤＶＤ規格に準拠したＤＶＤを再生するのと全く同じ動作になる。
【００１４】
【発明の実施の形態】
本発明の実施の形態を説明する。
実施例を説明する。本実施例の映像記録再生装置は、図１に示すように、Ａ／Ｄコンバータ１、２、ＭＰＥＧエンコーダ３、ＡＣ３エンコーダ４、ＤＶＤ多重回路５、ナビ情報６、ＤＶＤ録再コントローラ７、アドレスコントローラ８、ハードディスクドライブ（ＨＤＤ）９、分離回路１０、ＭＰＥＧデコーダ１１、デジタル分解回路１２、Ｄ／Ａ変換器１３、１４を有する。
【００１５】
実施例の映像記録再生装置の動作を説明する。アナログの音声動画入力は、Ａ／Ｄコンバータ１、２によりデジタルデータに変換される。このデータはＭＰＥＧエンコーダ３及びＡＣ３エンコーダ４により圧縮される。圧縮されたデータはＤＶＤ多重回路５によりＤＶＤ規格に準拠したデータに変換される。
【００１６】
ＤＶＤ録再コントローラ７は、ＨＤＤ上に１枚のＤＶＤ記録可能ディスクを仮想し、そのディスクにＤＶＤ規格に準拠した形で記録するようハードディスクドライブ９に命令を出す。この命令は直接ハードディスクにいかず、最初にアドレスコントローラ８に入力され、仮想ＤＶＤのアドレスを、ＨＤＤ上の実アドレスに変換されてハードディスクドライブ９に入力され、その命令に従ってハードディスクに記録される。
【００１７】
このとき、仮想ＤＶＤ上のアドレスは、録再コントローラ７に記憶される。対応するハードディスクアドレスは、アドレスコントローラ８によりメモリーに記憶されており、適宜図２のような形でハードディスクに記録される。
【００１８】
図２はハードディスクに連続して記録されたデータについて、仮想ＤＶＤ上の開始アドレス、ハードディスク上の対応する開始アドレス及び、その連続したデータの量をＤＶＤ規格のセクター数で示したものである。ハードディスク上のデータのアドレスが不連続になった場合も、仮想ＤＶＤのアドレスは１回の動画記録では連続して作られる。この図表によりＤＶＤアドレスに対応するハードディスクアドレスが一意に求められる。
【００１９】
１回の記録が終了したとき、録再コントローラに記憶された仮想ＤＶＤ上のアドレスからＤＶＤ規格に準拠したナビゲーションデータが作成され、ハードディスクに記録される。このナビゲーションデータ自体も仮想ＤＶＤ上のアドレスが与えられ、ナビゲーションデータと音声動画データが１組になって仮想ＤＶＤが完成する。ナビゲーションデータとしてＤＶＤ規格では、ＶＭＧＩ、ＶＴＳＩ及びそれらのバックアップデータが規定されており、その順序まで厳格に規定されている。
【００２０】
ＤＶＤ規格は再生専用の規格であり、ナビゲーションデータを読んでから、動画データを読み始めるのに都合の良いデータの順序になっている。しかしその場合、記録時には、記録終了時にならないと確定しないデータを最初に書くことになるため都合が悪い。従って、ハードディスク上では、動画データが記録された後にナビゲーションデータを記録し、アドレス変換表により、仮想ＤＶＤ上のナビゲーションデータの順序はＤＶＤ規格に準拠するようにする。図３にその場合の変換表の一例を示す。
【００２１】
仮想ＤＶＤ上ではＶＭＧＩ、ＶＭＧＩのバックアップ、ＶＴＳＩ、動画データ、ＶＴＳＩのバックアップの順に記録されているが、ハードディスク上では最初に動画データが書かれ次にＶＭＧＩ、ＶＭＧＩのバックアップ、ＶＴＳＩ、ＶＴＳＩのバックアップの順に書かれている。
【００２２】
ＶＭＧＩ、ＶＴＳＩのデータ量は動画データの量に従って変わるため記録終了まで確定しない。しかしアドレスが二重に現れるのは避けなければならないので、ＤＶＤアドレスを割り当てる際余裕を持たせて割り当てる。この表では１００ｈセクターのアドレスを確保している。結果的に使用されなかったアドレスには０が書き込まれる。記録後の動画編集によって、ＶＭＧＩ、ＶＴＳＩのデータ量が増える場合でも対応できる。
【００２３】
なおこの表では、動画データがハードディスク上で不連続になり途中に１００００ｈセクターのギャップができている。このギャップは、この表による記録以前に記録されていた領域である。この場合でも仮想ＤＶＤ上では連続アドレスになっており、録再コントローラ７には不連続を意識する必要が無い。図４は、この表に対応したデータ分布を図に表したものである。
【００２４】
再生時は、この仮想ＤＶＤに対応したナビゲーションデータを再生コントローラが読み取り、再生開始の命令を出す。この命令には仮想ＤＶＤのアドレスが含まれるため、アドレスコントローラがアドレス変換表に従って、ＤＶＤアドレスをハードディスクアドレスに変換してハードディスク上のデータの読み取り命令にかえ動画再生ができる。再生コントローラは仮想ＤＶＤに対応したナビゲーション命令を発生するだけなので、既存のＤＶＤプレーヤのコントローラ、ナビゲーションソフトがそのまま使用できる。
【００２５】
以上実施例で説明したように、ＨＤＤに記録する際、記録したデータの実際のＨＤＤ上のアドレスと、そのデータがＤＶＤに記録されたと仮定した場合のアドレスの対照表を同時に記録しておき、記録されるナビゲーションデータに含まれるアドレスを、その仮想的なＤＶＤアドレスし、再生の際、ＤＶＤと共通の再生コントロール回路は、その仮想的なアドレスに従って再生の指示をするが、そのアドレスを対照表に従って実アドレスに変更することにより再生が可能となる。したがって、再生コントロール回路から見ると、ＤＶＤ規格に準拠したＤＶＤを再生するのと全く同じ動作になる。
【００２６】
このような方式でＨＤＤに記録することにより、記録再生回路、ソフトウエアを広く普及しているＤＶＤレコーダ、プレーヤと共通にでき、ＨＤＤレコーダ用の特殊な回路、ソフトウェアを使用する必要が無くなり大きなコストダウンが可能となる。
【００２７】
【発明の効果】
本発明によれば、記録再生回路、ソフトウエアを広く普及しているＤＶＤレコーダ、プレーヤと共通にでき、ＨＤＤレコーダ用の特殊な回路、ソフトウェアを使用する必要が無くなり大きなコストダウンが可能な映像記録再生装置及び映像記録方法を得ることができる。
【図面の簡単な説明】
【図１】実施例の映像記録再生装置の説明図。
【図２】ハードディスクに記録されるハードディスクアドレスの一例を説明する図表。
【図３】実施例におけるアドレス変換表の一例を説明する図表。
【図４】実施例におけるＤＶＤとＨＤＤのアドレス対応例の説明図。
【図５】従来例の映像記録再生装置の説明図。
【符号の説明】
１、２  Ａ／Ｄコンバータ
３  ＭＰＥＧエンコーダ
４  ＡＣ３エンコーダ
５  ＤＶＤ多重回路
６  ナビ情報
７  ＤＶＤ録再コントローラ
８  アドレスコントローラ
９  ＨＤＤ
１０  分離回路
１１  ＭＰＥＧデコーダ
１２  デジタル分解回路
１３、１４  Ｄ／Ａ変換器
【図１】
2004336385.tif 000003
【図２】
2004336385.tif 000004
【図３】
2004336385.tif 000005
【図４】
2004336385.tif 000006
【図５】
2004336385.tif 000007